(57)【要約】      （修正有）【課題】鉗子栓本体に蓋体を取り付ける動作の際に蓋体の環状壁で囲まれた空間内の空気が外部に容易に排出されて、蓋体を鉗子栓本体にスムーズかつ確実に取り付けることができる内視鏡の鉗子栓を提供すること。【解決手段】蓋体１２の内方突起２３部分を弾性変形させて鉗子栓本体１１の外周面２４に沿ってスライドさせる際に蓋体１２の環状壁２２で囲まれた空間Ａと外部とを連通させて空間Ａ内の空気を外部に排出させる通気溝２８を、内方突起２３部分に設けた。【選択図】図２
2007159813.tif 000002
【特許請求の範囲】
【請求項１】
基部が内視鏡の処置具挿通チャンネルの入口部分に取り付けられる筒状の鉗子栓本体と、上記鉗子栓本体の突端入口部に着脱自在に取り付けられる蓋体とが共に弾力性のある部材により形成されて、上記処置具挿通チャンネルに挿通される処置具により押し開かれる閉鎖膜が上記鉗子栓本体と上記蓋体とに設けられた内視鏡の鉗子栓であって、
上記鉗子栓本体の外周面に円周溝が形成されて、上記鉗子栓本体の周囲を囲む状態に蓋体側から突設された環状壁の先端部分に上記円周溝に対して係脱自在な環状の内方突起が突出形成され、上記蓋体の内方突起部分を、弾性変形させて上記鉗子栓本体の外周面に沿わせて押し広げた状態でスライドさせることにより上記円周溝に係合させるようにした内視鏡の鉗子栓において、
上記蓋体の内方突起部分を弾性変形させて上記鉗子栓本体の外周面に沿ってスライドさせる際に上記蓋体の環状壁で囲まれた空間と外部とを連通させて上記空間内の空気を外部に排出させる通気溝を、上記内方突起部分に設けたことを特徴とする内視鏡の鉗子栓。
【請求項２】
上記通気溝が、上記内方突起の内周部分に、一つ又は周方向に互いの間隔をあけて複数形成されている請求項１記載の内視鏡の鉗子栓。
【発明の詳細な説明】
【技術分野】
【０００１】
この発明は、処置具挿通チャンネルを通じて体内汚液等が内視鏡外に噴出しないように処置具挿通チャンネルの入口部分を弾力的にシールするための内視鏡の鉗子栓に関する。
【背景技術】
【０００２】
内視鏡の鉗子栓は一般に、例えば図１０に示されるように、基部が内視鏡の処置具挿通チャンネル８０の入口口金８１に取り付けられる筒状の鉗子栓本体９１と、その鉗子栓本体９１の突端入口部に着脱自在に取り付けられる蓋体９２とが共に弾力性のある部材により形成されて、処置具挿通チャンネル８０に挿通される処置具によって押し開かれるスリット９３又は小孔９４が形成された閉鎖膜９５，９６が、蓋体９２と鉗子栓本体９１とに設けられている。
【０００３】
そして、蓋体９２を鉗子栓本体９１に係止させるために、鉗子栓本体９１の外周面に円周溝９９が形成されて、鉗子栓本体９１の周囲を囲む状態に蓋体９２側から突設された環状壁９７の先端部分に、円周溝９９に対して係脱自在な環状の内方突起９８が全周にわたって突出形成されている（例えば、特許文献１）。
【特許文献１】特開２００１−２１８７３２
【発明の開示】
【発明が解決しようとする課題】
【０００４】
上述のような内視鏡の鉗子栓において、蓋体９２を鉗子栓本体９１に取り付ける際には、図１１と図１２に順に示されるように、蓋体９２の内方突起９８部分を、鉗子栓本体９１の外周面に沿わせて押し広げた状態でスライドさせることにより円周溝９９に係合させる。
【０００５】
しかし、そのような図１１の状態から図１２の状態に変化する動作の過程においては、蓋体９２の環状壁９７で囲まれた空間Ａ内から空間Ａ外に通じる通気路が小さな小孔９４部分だけになって、その他の部分は全て塞がれた状態になる。
【０００６】
そのため、蓋体９２が鉗子栓本体９１に取り付けられる動作の際には、環状壁９７で囲まれた空間Ａ内の空気が圧縮される状態になって、それが蓋体９２を取り付ける動作に対する大きな抵抗になり、蓋体９２をスムーズに取り付けることができなかったり、蓋体９２が正しく取り付けられないまま使用されて、体内汚液が噴出する原因になる恐れがあった。
【０００７】
そこで本発明は、鉗子栓本体に蓋体を取り付ける動作の際に蓋体の環状壁で囲まれた空間内の空気が外部に容易に排出されて、蓋体を鉗子栓本体にスムーズかつ確実に取り付けることができる内視鏡の鉗子栓を提供することを目的とする。
【課題を解決するための手段】
【０００８】
上記の目的を達成するため、本発明の内視鏡の鉗子栓は、基部が内視鏡の処置具挿通チャンネルの入口部分に取り付けられる筒状の鉗子栓本体と、鉗子栓本体の突端入口部に着脱自在に取り付けられる蓋体とが共に弾力性のある部材により形成されて、処置具挿通チャンネルに挿通される処置具により押し開かれる閉鎖膜が鉗子栓本体と蓋体とに設けられた内視鏡の鉗子栓であって、鉗子栓本体の外周面に円周溝が形成されて、鉗子栓本体の周囲を囲む状態に蓋体側から突設された環状壁の先端部分に円周溝に対して係脱自在な環状の内方突起が突出形成され、蓋体の内方突起部分を、弾性変形させて鉗子栓本体の外周面に沿わせて押し広げた状態でスライドさせることにより円周溝に係合させるようにした内視鏡の鉗子栓において、蓋体の内方突起部分を弾性変形させて鉗子栓本体の外周面に沿ってスライドさせる際に蓋体の環状壁で囲まれた空間と外部とを連通させて空間内の空気を外部に排出させる通気溝を、内方突起部分に設けたものである。
【０００９】
なお、通気溝が、内方突起の内周部分に、一つ又は周方向に互いの間隔をあけて複数形成されていてもよい。
【発明の効果】
【００１０】
本発明によれば、蓋体の内方突起部分を弾性変形させて鉗子栓本体の外周面に沿ってスライドさせる際に蓋体の環状壁で囲まれた空間と外部とを連通させて空間内の空気を外部に排出させる通気溝を内方突起部分に設けたことにより、鉗子栓本体に蓋体を取り付ける動作の際に蓋体の環状壁で囲まれた空間内の空気が外部に容易に排出されて、蓋体を鉗子栓本体にスムーズかつ確実に取り付けることができ、不確実な取り付けに起因する処置具挿通チャンネル内からの体内汚液噴出を防止することができる。
【発明を実施するための最良の形態】
【００１１】
基部が内視鏡の処置具挿通チャンネルの入口部分に取り付けられる筒状の鉗子栓本体と、鉗子栓本体の突端入口部に着脱自在に取り付けられる蓋体とが共に弾力性のある部材により形成されて、処置具挿通チャンネルに挿通される処置具により押し開かれる閉鎖膜が鉗子栓本体と蓋体とに設けられた内視鏡の鉗子栓であって、鉗子栓本体の外周面に円周溝が形成されて、鉗子栓本体の周囲を囲む状態に蓋体側から突設された環状壁の先端部分に円周溝に対して係脱自在な環状の内方突起が突出形成され、蓋体の内方突起部分を、弾性変形させて鉗子栓本体の外周面に沿わせて押し広げた状態でスライドさせることにより円周溝に係合させるようにした内視鏡の鉗子栓において、蓋体の内方突起部分を弾性変形させて鉗子栓本体の外周面に沿ってスライドさせる際に蓋体の環状壁で囲まれた空間と外部とを連通させて空間内の空気を外部に排出させる通気溝を、内方突起部分に設ける。
【実施例】
【００１２】
図面を参照して本発明の実施例を説明する。
図４において、１は内視鏡の挿入部、２は、挿入部１の基端に連結された操作部である。
【００１３】
挿入部１内には、図示されていない処置具を挿通するための処置具挿通チャンネル３が全長にわたって挿通配置されていて、操作部２の下端部に配置された処置具挿通チャンネル３の入口開口部には、処置具挿通チャンネル３を通って逆流する体内汚液等が外方に吹き出さないようにするための鉗子栓１０が着脱自在に取り付けられている。
【００１４】
鉗子栓１０は、その拡大断面を図示する図１にも示されるように、処置具挿通チャンネル３の入口口金４に取り付けられる筒状に形成された鉗子栓本体１１と、鉗子栓本体１１の突端入口部１５に着脱自在な蓋体１２とを有していて、全体が弾力性のあるゴム材等によって構成されている。
【００１５】
鉗子栓本体１１の内面の基端寄りの部分には、処置具挿通チャンネル３の入口口金４に対して係脱自在な小径部１３が形成されており、小径部１３を弾性変形させて、入口口金４を締め付ける状態に取り付け及び取り外すことができる。なお、図１には、小径部１３の弾性変形していない形状が入口口金４と重ねて図示されている。
【００１６】
蓋体１２が鉗子栓本体１１から取り外された状態を図示する図２にも示されるように、蓋体１２は、弾力性のあるゴム材により蓋体１２と一体に形成された連結紐状部材１４で鉗子栓本体１１の基部と連結されていて、鉗子栓本体１１から取り外されてもその近くにぶら下げられた状態になるようになっている。
【００１７】
鉗子栓本体１１内と蓋体１２には、各々閉鎖膜１６，１７が形成されていて、鉗子栓本体１１内の閉鎖膜１６には、処置具挿通チャンネル３に挿通される処置具により押し開かれる小孔１８が形成され、蓋体１２の閉鎖膜１７には、処置具挿通チャンネル３に挿通される処置具により押し開かれるスリット１９が形成されている。
【００１８】
したがって、蓋体１２が鉗子栓本体１１に取り付けられて処置具が使用されない図１に示される状態では、蓋体１２に形成されたスリット１９により、処置具挿通チャンネル３内から体内汚液等が噴出しないように封止される。
【００１９】
そして、図示されていない処置具が処置具挿通チャンネル３に挿脱される際には、小孔１８とスリット１９により処置具の外周面との間がシールされ、注射器で処置具挿通チャンネル３内に薬液等を送り込む場合には、蓋体１２を外して小孔１８を薬液通路にすることができる。
【００２０】
鉗子栓本体１１の突端側入口部１５近くの外周面には円周溝２１が全周にわたり形成されていて、その鉗子栓本体１１の突端側入口部１５寄りの部分の周囲を囲む状態に、蓋体１２側から環状壁２２が突出形成されている。
【００２１】
そして、円周溝２１に全周にわたり係合させることができる環状の内方突起２３が環状壁２２の先端部分の内周部の全周から内方に向けて突出形成されていて、内方突起２３は、鉗子栓本体１１の外周面２４に沿わせて押し広げた状態に弾性変形させることにより円周溝２１に係脱させることができる。
【００２２】
その内方突起２３を円周溝２１に係合させる際に内方突起２３が接触する、鉗子栓本体１１の円周溝２１より突端側入口部１５寄りの外周面２４には、二つの周状突起２５（第１の周状突起２５ａと第２の周状突起２５ｂ）が軸線方向に間隔をあけて突出形成されている。なお図１には、第１と第２の周状突起２５ａ，２５ｂが弾性変形していない状態の形状が環状壁２２と重ねて図示されている。
【００２３】
その中の第１の周状突起２５ａは円周溝２１に隣接する部分に全周にわたって突出形成され、第２の周状突起２５ｂは、第１の周状突起２５ａとの間に間隔をあけて突端側入口部１５側の端部に全周にわたって突出形成されている。
【００２４】
また、図３の斜視図にも示されるように、蓋体１２の内方突起２３には、環状壁２２の外周側に達しないように内方突起２３の内周部分を切り欠いた円弧状の通気溝２８が形成されている。通気溝２８は、この実施例では周方向に互いの間に間隔をあけて１２０°間隔で三箇所に設けられている。
【００２５】
通気溝２８は、環状壁２２で囲まれた空間Ａの開口側端部が内方突起２３の内周部分で封止された時に、空間Ａ内と外部とを連通させるように形成されており、小孔１８と比較して例えば１０倍〜数十倍程度の格段に大きな通気断面積に形成されている。
【００２６】
図５及び図６は、蓋体１２が鉗子栓本体１１に取り付けられる際の動作を順に示しており、蓋体１２の内方突起２３部分を弾性変形させて鉗子栓本体１１の外周面２４に沿って図５の状態から図６の状態へとスライドさせると、環状壁２２で囲まれた空間Ａ内の空気が通気溝２８を通って速やかに外部に排出される。
【００２７】
したがって、蓋体１２の内方突起２３が鉗子栓本体１１の円周溝２１に正しく係合する状態まで、蓋体１２を鉗子栓本体１１にスムーズかつ確実に取り付けることができ、不確実な取り付けに起因する処置具挿通チャンネル内からの体内汚液噴出を防止することができる。
【００２８】
なお、内方突起２３が鉗子栓本体１１の外周面２４に接触して押し広げられた状態に弾性変形する時には、まず内方突起２３が第２の周状突起２５ｂを乗り越える際に、蓋体１２を取り付ける操作者の手にカクンというクリック感が伝わり、内方突起２３が鉗子栓本体１１の外周面２４に面する位置に移動したことを操作者が手の感触で察知することができる。
【００２９】
そして、内方突起２３が第１の周状突起２５ａを乗り越えて円周溝２１と係合する際にも、同様のクリック感が再度操作者の手に伝わり、内方突起２３が円周溝２１と係合する状態になったことを操作者が手の感触で察知することができる。
【００３０】
このようにして、図１に示されるように内方突起２３が円周溝２１に係合した状態になると、第１の周状突起２５ａと第２の周状突起２５ｂが各々シール用Ｏリングと同様の作用をして、第１の周状突起２５ａの外周面と第２の周状突起２５ｂの外周面とが環状壁２２の内周面に弾性的に押し付けられて密接した状態になり、その部分がシールされた状態になる。
【００３１】
なお本発明においては、通気溝２８の形状や大きさ等は多様な実施態様をとることができ、例えば図７〜図９に示されるように、通気溝２８が円弧状に１個、１８０°間隔で２個又は９０°間隔で４個、或いは図示されていないが４個以上に分けて設けられていてもよく、数多くに分散された場合等は形状が必ずしも円弧状である必要もない。
【図面の簡単な説明】
【００３２】
【図１】本発明の第１の実施例の内視鏡の鉗子栓の側面断面図である。
【図２】本発明の第１の実施例の内視鏡の鉗子栓の蓋体が鉗子栓本体から取り外された状態の側面断面図である。
【図３】本発明の第１の実施例の内視鏡の鉗子栓の蓋体部分の斜視図である。
【図４】本発明の第１の実施例の内視鏡の全体構成を示す側面図である。
【図５】本発明の第１の実施例の内視鏡の鉗子栓の蓋体を鉗子栓本体に取り付ける際の動作の側面断面図である。
【図６】本発明の第１の実施例の内視鏡の鉗子栓の蓋体を鉗子栓本体に取り付ける際の動作の側面断面図である。
【図７】本発明の第２の実施例の内視鏡の鉗子栓の蓋体の背面図である。
【図８】本発明の第３の実施例の内視鏡の鉗子栓の蓋体の背面図である。
【図９】本発明の第４の実施例の内視鏡の鉗子栓の蓋体の背面図である。
【図１０】従来の内視鏡の鉗子栓の側面断面図である。
【図１１】従来の内視鏡の鉗子栓の蓋体を鉗子栓本体に取り付ける際の動作の側面断面図である。
【図１２】従来の内視鏡の鉗子栓の蓋体を鉗子栓本体に取り付ける際の動作の側面断面図である。
【符号の説明】
【００３３】
３  処置具挿通チャンネル
１０  鉗子栓
１１  鉗子栓本体
１２  蓋体
１６  閉鎖膜
１７  閉鎖膜
１８  小孔
１９  スリット
２１  円周溝
２２  環状壁
２３  内方突起
２４  外周面
２８  通気溝
Ａ  環状壁で囲まれた空間
【図１】
2007159813.tif 000003
【図２】
2007159813.tif 000004
【図３】
2007159813.tif 000005
【図４】
2007159813.tif 000006
【図５】
2007159813.tif 000007
【図６】
2007159813.tif 000008
【図７】
2007159813.tif 000009
【図８】
2007159813.tif 000010
【図９】
2007159813.tif 000011
【図１０】
2007159813.tif 000012
【図１１】
2007159813.tif 000013
【図１２】
2007159813.tif 000014